(57)【要約】      （修正有）【課題】粘着テープの巻きほどけを防止し、使用後は粘着テープを簡単に剥離させる手段を提供する。【解決手段】粘着テープを剥離するために指をかける切り目１１を粘着テープ表面のローラーの軸方向の中央に設け、その先にローラーの回転方向に向って徐々にローラーの軸方向外側に向けて広がるように左右対称にミシン目１２をつけ、ローラーが１回転した時点で粘着テープの表面層が剥れるようにする。指をかけるための切り目の周辺または指をかけるための切り目を含むローラーの軸方向に沿って帯状に接着剤コーティングしない部分１４を儲け、指をかけるための切り目の周辺にゴミがつかないようにして、粘着テープを剥離するために指をかける切り目１１を見つけやすくする。【選択図】図４
2007029679.tif 000002
【特許請求の範囲】
【請求項１】
クリーナ用粘着式ローラーにおいて、トイレットペーパーと同じ巻きつけ方式ではなく、筒状の粘着テープを多重に積層したことを特徴とするクリーナ用粘着式ローラー
【請求項２】
請求項１に記載のクリーナ用粘着式ローラーにおいて、粘着テープを剥離するために指をかける切り目をローラーの軸方向の中央に設け、その先にローラーの回転方向に向って徐々にローラーの軸方向外側に向けて広がるように左右対称にミシン目をつけ、そのミシン目に沿って切り離すことにより、ローラーが１回転した時点で粘着テープの表面層が剥れることを特徴とするクリーナ用粘着式ローラー
【請求項３】
請求項２に記載のクリーナ用粘着式ローラーにおいて、粘着テープを剥離するためのミシン目を点線状とし、切り目とつなぎ目の長さを粘着力に合わせて調整することを特徴とするクリーナ用粘着式ローラー
【請求項４】
請求項２に記載のクリーナ用粘着式ローラーにおいて、指をかけるための切り目の周辺にゴミがつかないように、指をかけるための切り目の周辺または指をかけるための切り目を含むローラーの軸方向に沿って帯状に接着剤コーティングしないことを特徴とするクリーナ用粘着式ローラー
【請求項５】
請求項１に記載のクリーナ用粘着式ローラーにおいて、筒状の粘着テープを積層するために、一辺をローラーの円周の長さよりも若干長い長さとし、他の一辺をローラーの軸方向の長さとする１枚の平面粘着テープにおいて、ロー付け面をローラーの軸方向の一辺に沿って一定の幅で、ロー付けコーティングしない状態で、接着剤コーティング面が外側に向くように丸めて、ロー付けコーティングしない部分と接着剤コーティング面を貼り付けて、筒状の粘着テープ積層面を形成することを特徴とするクリーナ用粘着式ローラーの製造法
【請求項６】
請求項５に記載のクリーナ用粘着式ローラーの製造法において、積層した粘着テープの上にさらに筒状の粘着テープを積層する場合に、ロー付けコーティングしない部分と接着剤コーティング面を貼り付ける部分を、前の積層粘着テープに対してローラーの回転方向にずらして積層することを特徴とするクリーナ用粘着式ローラーの製造法
【発明の詳細な説明】
【技術分野】
【０００１】  この発明はクリーナ用粘着式ローラーにおいて、粘着テープの巻きほどけの防止及び使用後に粘着テープを簡単に剥離させるための技術に関するものである。
【背景技術】
【０００２】  従来この種のクリーナ用粘着式ローラーにおいては、トイレットペーパーと同じ巻きつけ方式が主体であることから、フローリングなどに使用した場合に、最初の回転方向を間違えて粘着テープが解ける方向にローラーを回転させると、その粘着力による粘着テープの巻きほどけが避けられない状況にある。また、使用後に粘着テープをはがそうとしても、粘着力により粘着テープを簡単に剥離させることが困難な状況が散見される。
【発明の開示】
【発明が解決しようとする課題】
【０００３】  今日の技術では、安価に製造する観点から、トイレットペーパーと同じ巻きつけ方式が主体であることから、粘着テープの巻きほどけ及び使用後の粘着テープを簡単に剥離させることが困難な状況が多発しているため、取り扱いが悪く使用者がいらいらする場合が多い。
この取り扱いを良くするために、粘着テープの巻きほどけを防止し、かつ使用後には粘着テープを簡単に剥離させる手段を講じる必要がある。
【課題を解決するための手段】
【０００４】  本発明は、上記の課題を解決するために考案したもので、トイレットペーパーと同じ巻きつけ方式ではなく、筒状の粘着テープを多重に積層したものである。【０００５】  また、粘着テープを剥離するために指をかける切り目を粘着テープ表面のローラーの軸方向の中央に設け、その先にローラーの回転方向に向って徐々にローラーの軸方向外側に向けて広がるように左右対称にミシン目をつけ、そのミシン目に沿って切り離すことにより、ローラーが１回転した時点で粘着テープの第一層の表面層が剥れるようにしたもので、粘着テープを剥離するためのミシン目を点線状とし、切り目とつなぎ目の長さを粘着力に合わせて調整するものである。【０００６】  さらに、指をかけるための切り目の周辺にゴミがつかないようにするため、指をかけるための切り目の周辺または指をかけるための切り目を含むローラーの軸方向に沿って帯状に接着剤コーティングしないようにしたものである。【０００７】  これらを実現するための製造法として、筒状の粘着テープを積層するために、一辺をローラーの円周の長さよりも若干長い長さとし、他の一辺をローラーの軸方向の長さとする１枚の平面粘着テープにおいて、接着剤コーティング面の裏地になるロー付け面をローラーの軸方向の一辺に沿って一定の幅で、ロー付けコーティングしない状態で、接着剤コーティング面が外側に向くように丸めて、ロー付けコーティングしない部分と接着剤コーティング面を貼り付けるようにしたものである。【０００８】  さらに、前項記載のクリーナ用粘着式ローラーの製造法において、積層した粘着テープの上にさらに筒状の粘着テープを積層する場合に、ロー付けコーティングしない部分と接着剤コーティング面を貼り付ける部分を、前の積層粘着テープに対してローラーの回転方向にずらして積層するようにしたものである。
【発明の効果】
【０００９】  本発明により、粘着テープの巻きほどけを防止し、かつ使用後には粘着テープを簡単に剥離させる手段を講じることにより、取り扱いをよりよいものにして使用者のいらつきをなくし、粘着式ローラークリーナを使って掃除を楽しいものにすることができる。
【発明を実施するための最良の形態】
【００１０】  以下、本発明のクリーナ用粘着式ローラーおよびその製造法の最良の形態について、図面を参照して説明する。
【実施例１】
【００１１】  図１は、従来のトイレットペーパーと同じ巻きつけ方式のクリーナ用粘着式ローラーを使用した実施例を示すもので、１は粘着式ローラークリーナーの支持棒、２はクリーナ用粘着式ローラーの接着剤コーティング面、３はクリーナ用粘着式ローラーのロー付けコーティング面、４は粘着式ローラークリーナーの動作方向、５はフローリングの床板を示す。
４の動作方向に引くと、２のクリーナ用粘着式ローラーの接着剤コーティング面が５のフローリングの床板にこびりつき、ちょうどトイレットペーパーを引き出すように、粘着テープが解ける方向にローラーが回転し、粘着テープの巻きほどけが起きる。【００１２】  図２は、従来のトイレットペーパーと同じ巻きつけ方式のクリーナ用粘着式ローラーを使用した後の状況を示すもので、６はゴミが付着した状況を示すローラー表面、７は粘着テープを剥がす取り口となる切り込みを示す。ゴミが付着した状況を示すローラー表面６は、使用前に新しい粘着表面を作るために切り離した切り取り線がどこにあるか見つけられない状況にある。
したがって、通常、粘着テープを剥がす取り口となる切り込み７を使って粘着テープを剥がそうとするが、うまく剥がれないのが通例である。【００１３】  図３は、従来のクリーナ用粘着式ローラーにおいて、使用後の粘着テープを剥がす状況を示すもので、８は粘着テープを剥がす方向を示す。
粘着テープを剥がす取り口となる切り込み７を使って粘着テープを剥がすと、きれいに剥がれず、新しい粘着面２とゴミが付着した面６が入り組んで付着しあい、完璧にゴミが取れるまでには、ローラーが数回転することになり不経済である。
また、切り取り線が横一線にならず、さらにゴミが付着すると切り取り線が見つけられない状況になる。【００１４】図４は、上記の課題を解決するために考案した筒状の粘着テープを示すもので、９は接着剤コーティング面、１０は裏地になるロー付け面、１１は粘着テープを剥離するために指をかける切り目、１２はミシン目、１３はロー付けコーティングしないのりしろ、１４は接着剤コーティングしない部分を示す。
一辺をローラーの円周の長さよりも若干長い長さとし、他の一辺をローラーの軸方向の長さとする１枚の平面粘着テープにおいて、接着剤コーティング面の裏地になるロー付け面１０にローラーの軸方向の一辺に沿って一定の幅で、ロー付けコーティングしないのりしろ１３を設け、接着剤コーティング面９が外側に向くように丸めて、ロー付けコーティングしないのりしろ１３と接着剤コーティング面９の端面を貼り付けて、筒状の粘着テープ積層面を形成する。
また、粘着テープを剥離するために指をかける切り目１１を粘着テープ表面のローラーの軸方向の中央に設け、その先にローラーの回転方向に向って徐々にローラーの軸方向外側に向けて広がるように左右対称にミシン目１２をつけ、ローラーが１回転した時点で粘着テープの表面層が剥れるようにする。
さらに、指をかけるための切り目の周辺または指をかけるための切り目を含むローラーの軸方向に沿って帯状に接着剤コーティングしない部分１４を儲け、指をかけるための切り目の周辺にゴミがつかないようにして、粘着テープを剥離するために指をかける切り目１１を見つけやすくする。【００１５】  図５は、図４を平面に展開したもので、ロー付けコーティングしないのりしろ１３は、外側は接着剤コーティング面９と同様に接着剤コーティングされており、内側はロー付けコーティングしていない。【００１６】  図６は、積層した粘着テープの上にさらに筒状の粘着テープを積層する場合に、ロー付けコーティングしないのりしろ１３を、前の積層粘着テープに対してローラーの回転方向にずらして積層する状況を示すもので、こうすることにより、クリーナ用粘着式ローラーの積層の厚さがローラー全周にわたって一定になる。
【産業上の利用可能性】
【００１７】  今日では、粘着式ローラークリーナは、主としてカーペットやフローリングのゴミを取るために事務所や家庭内等広い範囲にわたって使用されており、今後とも電気掃除機と併用して使用されることが見込まれる。
電気掃除機の場合、送風によりチリやほこりを舞い上げてしまうため、掃除をした後に宙に舞い上がったチリやほこりが再び床に落ち、汚れが取れていない状況が発生する。
粘着式ローラークリーナの場合は、チリやほこりを舞い上げることなく除去するため、はじめに粘着式ローラークリーナを使用してほとんどのゴミや誇りを除いた後に、電気掃除機で粘着式ローラークリーナではとりにくい隅々のゴミやほこりを取り除くのが最も効果的であるとの評価がある。
ところが、従来の粘着式ローラークリーナの使用に当たって、粘着テープの巻きほどけ及び使用後の粘着テープを簡単に剥離させることが困難な状況が多発しているため、取り扱いが悪く、使用者がいらいらする場合が多い。
この取り扱いを良くするために、粘着テープの巻きほどけを防止し、かつ使用後には粘着テープを簡単に剥離させる手段を講じる必要がある。
本発明は、この手段を提供するもので、顧客満足度が高まることから、市場の要求が高まることが予想されるため、産業上の利用可能性が極めて高いものである。
【図面の簡単な説明】
【００１８】
【図１】  従来のトイレットペーパーと同じ巻きつけ方式のクリーナ用粘着式ローラーを使用した実施例を示すものである。
【図２】  従来のトイレットペーパーと同じ巻きつけ方式のクリーナ用粘着式ローラーを使用した後の状況を示すものである。
【図３】  従来のクリーナ用粘着式ローラーにおいて、使用後の粘着テープを剥がす状況を示すものである。
【図４】  本発明の主眼となる筒状の粘着テープを示すものである。
【図５】  図４を平面に展開したものである。
【図６】  積層した粘着テープの上にさらに筒状の粘着テープを積層する場合に、ロー付けコーティングしないのりしろを、前の積層粘着テープに対してローラーの回転方向にずらして積層する状況を示すものである。
【符号の説明】
【００１９】  １；粘着式ローラークリーナーの支持棒
２；クリーナ用粘着式ローラーの接着剤コーティング面
３；クリーナ用粘着式ローラーのロー付けコーティング面
４；粘着式ローラークリーナーの動作方向
５；フローリングの床板
６；ゴミが付着した状況を示すローラー表面
７；粘着テープを剥がす取り口となる切り込み
８；粘着テープを剥がす方向
９；接着剤コーティング面
１０；裏地になるロー付け面
１１；粘着テープを剥離するために指をかける切り目
１２；ミシン目
１３；ロー付けコーティングしないのりしろ
１４；接着剤コーティングしない部分
【図１】
2007029679.tif 000003
【図２】
2007029679.tif 000004
【図３】
2007029679.tif 000005
【図４】
2007029679.tif 000006
【図５】
2007029679.tif 000007
【図６】
2007029679.tif 000008